(57)【要約】【課題】  使用性及び拡張性を改善させることが可能な、ナビゲーション機能を提供する無線リモコン装置とこれに対するナビゲーション機能提供方法を提供する。【解決手段】  リモコン信号を受信し、受信信号に応じて動作する被制御機器との無線送受信を行う無線送受信部と、被制御機器の機器情報を提供するディスプレイ部と、被制御機器の機器情報と被制御機器に対する遠隔制御キーコード情報を格納する格納部と、遠隔制御キーコード情報が無線送受信部を介して送出される第１モード、及び機器情報をナビゲーションしてユーザ所望の機器情報を選定する第２モードでそれぞれ選択的に動作する少なくとも２つ以上の機能キーと、第１モード又は第２モードを選択するモード切換スイッチと、第２モードで選定した機器情報を選択する機器情報選択キーとを含む。【選択図】  図３
2004328714.tif 000002
【特許請求の範囲】
【請求項１】
遠隔制御キーコード情報が無線送受信部を介して送出される第１モードと、
入力手段のディスプレイ部で提供する機器情報をナビゲーションする第２モードとを有する無線リモコン装置。
【請求項２】
リモコン信号を受信し、受信された信号に応じて動作する被制御機器との無線送受信を行う無線送受信部と、
前記被制御機器の機器情報を提供するディスプレイ部と、
前記被制御機器の機器情報と前記被制御機器に対する遠隔制御キーコード情報を格納する格納部と、
ユーザの入力に対応する前記遠隔制御キーコード情報が前記無線送受信部を介して送出される第１モード、及び前記ディスプレイ部で提供する前記機器情報をナビゲーションしてユーザの所望する前記機器情報を選定する第２モードでそれぞれ選択的に動作する少なくとも２つ以上の機能キーと、
前記第１モード又は前記第２モードを選択するモード切換スイッチと、
前記第２モードで選定した機器情報を選択する機器情報選択キーと、
前記第１モードの場合、前記ユーザの入力に対応する前記遠隔制御キーコード情報を前記無線送受信部を介して送出するようにし、前記第２モードの場合、ユーザの入力に対応する前記機器情報をディスプレイ部に提供するように制御する制御部とを含むナビゲーション機能を提供する無線リモコン装置。
【請求項３】
前記第２モードはユーザの入力に対応する前記遠隔制御キーコード情報が前記無線送受信部を介して送出されないことを含む請求項１又は請求項２に記載のナビゲーション機能を提供する無線リモコン装置。
【請求項４】
前記ディスプレイ部は、前記格納部に格納された機器情報をアイコンで提供することを含む請求項１又は請求項２に記載のナビゲーション機能を提供する無線リモコン装置。
【請求項５】
前記機能キーがチャネル選択キーを含む請求項２に記載のナビゲーション機能を提供する無線リモコン装置。
【請求項６】
前記機能キーが音量選択キーを含む請求項２に記載のナビゲーション機能を提供する無線リモコン装置。
【請求項７】
前記機能キーがチャネル選択キーと音量選択キーを含む請求項２に記載のナビゲーション機能を提供する無線リモコン装置。
【請求項８】
前記機器情報が前記機器に対する識別情報を含む請求項１又は請求項２に記載のナビゲーション機能を提供する無線リモコン装置。
【請求項９】
前記機器情報が前記機器に対する機能情報を含む請求項１又は請求項２に記載のナビゲーション機能を提供する無線リモコン装置。
【請求項１０】
前記機器情報が、前記機器に対する識別情報を削除するための機器削除情報を含む請求項１又は請求項２に記載のナビゲーション機能を提供する無線リモコン装置。
【請求項１１】
前記機器情報が、前記機器に対する機能情報を削除するための機能削除情報を含む請求項１又は請求項２に記載のナビゲーション機能を提供する無線リモコン装置。
【請求項１２】
前記機器情報の入力を外部装置から受けるインタフェース部をさらに含む請求項１又は請求項２に記載のナビゲーション機能を提供する無線リモコン装置。
【請求項１３】
被制御機器に対する遠隔制御キーコード情報が無線送出される第１モードから、前記被制御機器に対する機器情報が提供される第２モードに切り換える第１段階と、
前記第２モードで前記機器情報をナビゲーションする第２段階と、
前記第２段階によってナビゲーションした後、ユーザが前記機器情報を選択する第３段階とを含む無線リモコン装置に対するナビゲーション機能提供方法。
【請求項１４】
前記第２段階は前記第２モードでユーザの入力に対応する遠隔制御キーコード情報の無線送出なしでナビゲーションする段階を含む請求項１３に記載の無線リモコン装置に対するナビゲーション機能提供方法。
【請求項１５】
前記機器情報が前記機器に対する識別情報を含む請求項１３に記載の無線リモコン装置に対するナビゲーション機能提供方法。
【請求項１６】
前記機器情報が前記機器に対する機能情報を含む請求項１３に記載の無線リモコン装置に対するナビゲーション機能提供方法。
【請求項１７】
前記機器情報が、前記機器に対する識別情報を削除するための機器削除情報を含む請求項１３に記載の無線リモコン装置に対するナビゲーション機能提供方法。
【請求項１８】
前記機器情報が、前記機器に対する機能情報を削除するための機能削除情報を含む請求項１３に記載の無線リモコン装置に対するナビゲーション機能提供方法。
【請求項１９】
前記第２モードは前記機器情報がアイコンで提供されることを含む請求項１３に記載の無線リモコン装置に対するナビゲーション機能提供方法。
【発明の詳細な説明】
【技術分野】
【０００１】
本発明は、無線リモコン装置に係り、より詳しくは、ナビゲーション機能を提供する無線リモコン装置及びこれに対してナビゲーション機能を提供する方法に関する。
【背景技術】
【０００２】
現在、使用されている無線リモコンは、外形によって、図１Ａ〜図１Ｃに示すように、ボタンのみからなるボタン型リモコン（図１Ａ）、小さいＬＣＤとボタンからなる混合型リモコン（図１Ｂ）、１つの大きいＬＣＤのみからなるＬＣＤ型リモコン（図１Ｃ）の３種類に分けられる。また、機能によっては、特定の装置のための機器専用リモコンと各種の製品に汎用的に使用することが可能な統合リモコンに分けられる。特に、統合リモコンにおいて、技術の発展に伴って様々な製品が開発され新機能が登場しているため、これらを収容することが可能な方案が求められていた。これに対する対処方案として、前記ボタン型リモコン又は前記混合型リモコンの場合は新規ボタンを追加し或いは１つのボタンで２つの機能を行うことが可能な二重ボタンを実現しており、前記ＬＣＤ型リモコンの場合はインタネットを介して新機能をダウンロードし或いは学習機能を用いるが、一般にタッチスクリーン方式を適用している。
【０００３】
ところが、このような対処方案は、ボタン型又は混合型リモコンの場合には、継続的なボタンの追加によってボタンレイアウトが複雑になり、数多くのボタンを備えるためにリモコンが大きくなるか、逆にボタンの大きさが小さくなって無線リモコンの使用が不便になる反面、ＬＣＤ型リモコンの場合には、学習機能を使うためのユーザの別途学習が必要となる問題点が発生するので、製品別に増えている新機能と新製品に対する拡張性を収容するとともに、ユーザがより便利に前記機能を使うことが可能な新しいタイプの無線リモコンが求められている。
【発明の開示】
【発明が解決しようとする課題】
【０００４】
本発明は、かかる問題点を解決するためのもので、その目的は、ＬＣＤとボタンからなる混合型リモコンにおいて、製品の各種機能の容易な利用を可能とするナビゲーション機能を提供し、製品又は各製品に対する機能の追加入力が可能な機能を実現することにより、使用性及び拡張性を改善させる方法を提供することにある。
【課題を解決するための手段】
【０００５】
上記目的を達成するために、本発明に係るナビゲーション機能を提供する無線リモコン装置は、リモコン信号を受信し、受信された信号に応じて動作する被制御機器との無線送受信を行う無線送受信部と、前記被制御機器の機器情報を提供するディスプレイ部と、前記被制御機器の機器情報と前記被制御機器に対する遠隔制御キーコード情報を格納する格納部と、ユーザの入力に対応する前記遠隔制御キーコード情報が前記無線送受信部を介して送出される第１モード、及び前記ディスプレイ部で提供する前記機器情報をナビゲーションしてユーザの所望する前記機器情報を選定する第２モードでそれぞれ選択的に動作する少なくとも２つ以上の機能キーと、前記第１モード又は前記第２モードを選択するモード切換スイッチと、前記第２モードで選定した機器情報を選択する機器情報選択キーとを含むことを特徴とし、この際、前記第２モードはユーザの入力に対応する前記遠隔制御キーコード情報が前記無線送受信部を介して送出されないことを含むことができる。
【０００６】
また、本発明に係る無線リモコン装置に対するナビゲーション機能提供方法は、被制御機器に対する遠隔制御キーコード情報が無線送出される第１モードから、前記被制御機器に対する機器情報が提供される第２モードに切り換える第１段階と、前記第２モードで前記機器情報をナビゲーションする第２段階と、前記第２段階によってナビゲーションした後、ユーザが前記機器情報を選択する第３段階とを含むことを特徴とし、この際、前記第２段階は第２モードでユーザの入力に対応する遠隔制御キーコード情報の無線送出なしでナビゲーションする段階とを含むことができる。
【発明の効果】
【０００７】
上述した本発明によれば、使用性の面からみては、ナビゲーション機能を用いてユーザにさらに容易で便利な機能実現を提供して使用性の極大化を図ることができ、拡張性の面からみては、引き続き開発が行われる新製品とそれによる追加機能に対し別途の入力部を用いて新しい情報のアップデートが可能なので、ユーザの便宜を増進させるという効果がある。
【発明を実施するための最良の形態】
【０００８】
以下、添付図面を参照して本発明の一実施例に係るナビゲーション機能を提供する無線リモコン装置及びこれに対するナビゲーション機能提供方法を説明する。
【０００９】
図２は本発明に係る無線リモコン装置を示す例示図である。図２に示すように、無線リモコン装置２００は、被制御機器との赤外線通信又は無線ＲＦ通信を行う無線送受信部２７０と、機器情報を提供するＬＣＤ画面２１０と、リモコンモードと機器情報提供モードを相互に切り換えるモード切換ボタン２４０と、一般的なリモコン機能を行いながら、前記機器情報提供モードの切換の際、前記ＬＣＤ画面２１０にディスプレイされた機器情報をナビゲーションするための４方向入力ボタン２２０と、前記ＬＣＤ画面２１０にディスプレイされた機器情報を選択するための選択ボタン２３０と、一般的なリモコン機能を行う一般機能ボタン２５０と、機器に関する情報を収集或いは更新するために、ＵＳＢなどのシリアルポートを介して外部装置からダウンロードし、或いは有無線インタネットとの連結によって前記機器に関する情報を収集或いは更新するためのインタフェース部２６０とから構成される。前記ＬＣＤ画面２１０にディスプレイされる機器情報はアイコン、テキスト又は動画像で提供される。また、前記４方向入力ボタン２２０と選択ボタン２３０とが互いに分離されず、ジョイスティック形のように一体型にすることができ、モード切換ボタン２４０はオン／オフボタン型又はスライド型とすることができる。また、前記機器情報は前記機器に対する識別情報、前記機器に対する機能情報、前記機器に対する識別情報を削除するための機器削除情報、前記機器に対する機能情報を削除するための機能削除情報を含む。一方、一般機能ボタン２５０は、リモコンを用いて、被制御機器作動の際に数字入力、チャネル切換などの一般的なリモコン機能を行う。
【００１０】
図３は本発明に係る無線リモコン装置の内部構成を示す例示図である。図３に示すように、ナビゲーション機能を提供する無線リモコン装置は、リモコン信号を受信し、受信された信号に応じて動作する被制御機器との無線送受信を行う無線送受信部３５０と、前記被制御機器の機器情報を提供するディスプレイ部３２０と、前記被制御機器の機器情報と前記被制御機器に対する遠隔制御キーコード情報を格納する格納部３３０と、ユーザの入力に対応する遠隔制御キーコード情報が前記無線送受信部３５０を介して送出される第１モード、及び前記ディスプレイ部３２０で提供する機器情報をナビゲーションしてユーザの所望する機器情報を選定する第２モードでそれぞれ選択的に動作する少なくとも２つ以上の機能キーと、前記第１モード又は前記第２モードを選択するモード切換スイッチと、前記第２モードで選定した機器情報を選択する機器情報選択キーとを含んでいるユーザ入力部３００と、前記第１モードの場合、前記ユーザの入力に対応する前記遠隔制御キーコード情報を前記無線送受信部３５０を介して送出するようにし、前記第２モードの場合、ユーザの入力に対応する前記機器情報を前記ディスプレイ部３２０に提供するように制御する制御部３１０とから構成される。
【００１１】
前記第１モードの場合、ユーザ入力部３００でユーザから入力を受け、制御部で前記入力された信号に対応する遠隔制御キーコード情報を格納部３３０から抽出して無線送受信部３５０へ伝達し、赤外線信号又は無線ＲＦ信号を被制御機器に伝送することにより、ユーザによって選択された機能による動作が行われる。
【００１２】
一方、ユーザがユーザ入力部３００のモード切換スイッチによって第２モードに切り換えると、制御部３１０は格納部３３０からアイコン、テキスト又は動画像からなる機器情報を抽出してディスプレイ部３２０に提供し、ＬＣＤ出力部３４０を介して画面にディスプレイされるようにする。この際、ユーザが前記ディスプレイ部３２０で提供する機器情報を前記ユーザ入力部３００の前記機能キーを用いてナビゲーションする場合には無線信号を発生しない。また、ユーザが前記ユーザ入力部３００の機器情報選択キーを用いて所望の機器又は機能を選択すると、前記制御部３１０は前記無線送受信部３５０を介して無線信号を発生し、或いは前記ユーザの選択した機器又は機能に対応する下部機器又は下部機能がある場合には無線信号を発生しない。この際、前記ユーザ入力部３００のモード切換スイッチを用いてユーザが前記第２モードから第１モードに切り換えると、前記ユーザ入力部３００の前記機能キーはナビゲーション機能を行わず、一般リモコン機能を行うが、この際、前記制御部３１０は、前記格納部３３０に格納されている、ユーザの入力に対応するキーコードを抽出して前記無線送受信部３５０を介して無線信号を送信する。
【００１３】
図４Ａと図４Ｂは本発明によってユーザ入力部３００のモード切換スイッチを機器識別情報を得るためのリモコン選択ボタン４１０と被制御機器の機能情報を得るためのアイコンボタン４５０とに分離して実現した一実施例の処理流れ図である。
【００１４】
図４Ａは本発明に係る機器選択を行う過程を示す一実施例の処理流れ図である。図４Ａに示すように、リモコン４００のリモコン選択ボタン４１０を押すと（Ｓ４３２）、ＬＣＤ上にそれぞれの機器アイコンが表示され、前記リモコン選択ボタン４１０を押すと同時に４方向ボタン４２０及び選択ボタン４３０がＬＣＤナビゲーションボタンに切り換えられ、ボタンを押しても赤外線が発信されない。但し、機器の種類によっては、選択ボタン４３０を押すと赤外線が発信されることもある。４方向ボタン４２０及び選択ボタン４３０を除いたその他のボタンを押すと、引き続き赤外線を発信する。ユーザは変更しようとする機器のアイコンに４方向ボタン４２０を用いて移動した後（Ｓ４３４）、選択ボタン４３０で機器のアイコンを選択し（Ｓ４３６）、選択した機器のためのリモコンモードに切り換える（Ｓ４３８）。モード切換の後、もう一度リモコン選択ボタン４１０を押すと（Ｓ４４０）、ＬＣＤのアイコンが無くなり、４方向ボタン４２０と選択ボタン４３０はもともとの機能に戻る。
【００１５】
図４Ｂは本発明に係る機能選択過程を示す一実施例の処理流れ図である。図４Ｂに示すように、リモコン４００上のアイコンボタン４５０を押すと（Ｓ４７２）、ＬＣＤ上にそれぞれの機能アイコンが表示され、前記アイコンボタン４５０を押すと同時に４方向ボタン４２０及び選択ボタン４３０がＬＣＤナビゲーションボタンに切り換えられ、前記４方向ボタン４２０及び選択ボタン４３０を押しても赤外線が発信されない。但し、機能の種類によっては、選択ボタン４３０を押すと赤外線が発信されることもある。４方向ボタン４２０及び選択ボタン４３０を除いたその他のボタンを押す場合には引き続き赤外線を発信する。実行したい機能のアイコンに４方向ボタン４２０を用いて移動した後（Ｓ４７４）、選択ボタン４３０で機能アイコンを選択し（Ｓ４７６）、選択した機器の機能を行う（Ｓ４７８）。機能実行の後、もう一度アイコンボタン４５０を押すと（Ｓ４８０）、ＬＣＤのアイコンが無くなり、４方向ボタン４２０及び選択ボタン４３０はもともとの機能に戻る。
【００１６】
以上説明した本発明は、当該技術分野で通常の知識を有する者によって、本発明の技術的思想から逸脱しない範囲内で様々な置換、変形及び変更が可能なので、前述した実施例及び添付図面に限定されるものではない。
【図面の簡単な説明】
【００１７】
【図１Ａ】従来のボタン型リモコンを示す例示図である。
【図１Ｂ】従来の混合型リモコンを示す例示図である。
【図１Ｃ】従来のＬＣＤ型リモコンを示す例示図である。
【図２】本発明に係る無線リモコン装置を示す例示図である。
【図３】本発明に係る無線リモコン装置の内部構成を示す例示図である。
【図４Ａ】本発明に係る機器選択過程を示すの一実施例の処理流れ図である。
【図４Ｂ】本発明に係る機能選択過程を示す一実施例の処理流れ図である。
【符号の説明】
【００１８】
３００  ユーザ入力部
３１０  制御部
３２０  ディスプレイ部
３３０  格納部
【図１Ａ】
2004328714.tif 000003
【図１Ｂ】
2004328714.tif 000004
【図１Ｃ】
2004328714.tif 000005
【図２】
2004328714.tif 000006
【図３】
2004328714.tif 000007
【図４Ａ】
2004328714.tif 000008
【図４Ｂ】
2004328714.tif 000009